(57)【要約】【課題】ローラコンベアを圃場内で利用するに当たり、平行畝にも直交畝にも対応し、畝に対し斜めにも配列できるコンベア支持台で、コストが安く畝頂面に倣って、又はプラスチック箱を利用して作業者の腰の位置前後の高さに安定して配列でき、コストの安い単純で強固な物を提案すること、更にコンベアを最適な勾配を付けて配列できることを課題とした。【解決の手段】枕木型の支持台と、同枕木型の支持台と共働する門型コンベア受け梁を提案し、又枕木型の支持台に高さ調整用のプラスチック箱を用い、更に共働する一文字型コンベア受け梁及び門型コンベア受け梁を提案した。【選択図】図１
2017163856.tif 000002
【特許請求の範囲】
【請求項１】
一条植えに畝たてした路地野菜の生産圃場で、収穫物を箱詰した実入りの箱を圃場外に運び出すに当たり、圃場内に単独又は複数を直列に連結して利用する定尺３メートルの重力式ローラコンベア、同コンベアと畝頂面間に敷き、前記コンベアのフレーム下面を直接又は間接に支持する枕木状の敷物で、
前記枕木状の敷物は、その概観平面は略長方形の細長い枠形状をなし、一対の長辺部材と一対の短辺部材で構成し、
前記一対の長辺部材はアルミニュームのアングル型材を用い、
同一対のアングル型材は、一面を接地面として水平に配し、前記接地面はお互いに向き合うように配し、他の一面は垂直上方に配し、前記長辺部材の長さは、畝たてピッチの長さの略２倍とし、
前記一対の短辺部材はアルミニュームのアングル型材又は角管を用い、
同一対の短辺部材は、一面を接地面として水平に配し、他の一面は垂直上方に配し、
前記一対の短辺部材の長さは、前記枕木状の敷物と共に用いる選択した規格量販品のプラスチック箱が、前記一対の長辺部材の間に嵌まり込むに十分な間隔を備えるに必要な長さで、前記プラスチック箱の長辺は前記一対の長辺部材に沿う方向に嵌まり合う、
上述のような構造を備え、前記プラスチック箱を共働部品とする長方形枠枕木。
【請求項２】
請求項１に記載の長方形枠枕木にあって、同枕木に着脱可能な門型コンベア受け梁を共働部品として組み込むに必要な門型コンベア受け梁取り付け座を設け、
前記門型受け梁は一対の支柱と同支柱の上端部に架け渡す１本の水平方向の受け梁で構成し、
前記門型コンベア受け梁取り付け座を前記短辺部材の長さ方向の略中間に設けた長方形枠枕木。
【請求項３】
請求項１に記載の長方形枠枕木にあって、同枕木にプラスチック箱を１段２段と配置して用いるにあたり、前記プラスチック箱の上面に着脱可能な一文字コンベア受け梁を共働部品として付加し、
前記一文字コンベア受け梁は、同一文字コンベア受け梁の水平梁部材を前記プラスチック箱の短辺の中央に架け渡し、前記水平梁部材の下面両端に長手方向ズレ防止部材を設け、前記水平梁部材下面の中央よりに一対の短手方向ズレ防止部材を設け、
一対の短手方向ズレ防止部材の設ける間隔は、前記プラスチック箱の一対の長辺の角の外々に沿う間隔、即ち前記プラスチック箱の短辺に若干の隙間分をプラスした寸法で、
一対の短手方向ズレ防止部材の長さは、前記プラスチック箱の開口上面の内々短辺寸法に若干の隙間分をマイナスした寸法とする、
上述の前記プラスチック箱及び前記一文字コンベア受け梁を共働部品とする長方形枠枕木。
【請求項４】
前記長方形枠枕木の共働部品の前記一文字コンベア受け梁にあって、同一文字コンベア受け梁の前記水平梁部材の両端部に着脱可能な一文字用門型コンベア受け梁を共働部品として組み込むに必要な一文字用門型コンベア受け梁取り付け座を設け、
前記一文字用門型受け梁は一対の支柱部材と同支柱部材の上端部に架け渡す１本の水平受け梁部材で構成し、
前記門型コンベア受け梁を共働部品として組み可能な構造を備えた請求項３に記載の長方形枠枕木。
【発明の詳細な説明】
【技術分野】
【０００１】
本発明は、圃場内で箱詰した収穫物の入った実入りの箱を、ローラコンベアを利用して搬出するに当たり、作業者の希望する高さに略水平に、又は重力を利用するに適した勾配を付けて、簡便に安定した状態にローラコンベアを設置するに適した、ローラコンベア支持方法に関する。
【背景技術】
【０００２】
圃場内で箱詰した収穫物の入った、実入りの箱をトラック乗り入れ道、ブーム道又は農道方向（以後、搬出方向と記す）に搬出する代表的な方法は、
一輪車を利用する方法、
人力で押す４輪の運搬台車、動力付き４輪の運搬台車、キャタピラー式運搬台車など台車を利用する方法と、トラックや後部に積載容器を備えたトラクターを圃場内に直接乗り入れる方法、
人力で持ち、全工程を歩いて運び出す方法と、
前記人力による方法を補助する目的で、足場板を畝頂面に畝と略直交する方向に敷き、畝溝に沿って歩き、足場板上を歩いて運び出す方法、
及び主にアルミ製のローラコンベア（以後、単にコンベアと記載する）を利用する方法などがあり、      上述の数種の方法を混用する場合もある。
【０００３】
一条植えの畝の畝たてピッチは、略４５ｃｍ、５０ｃｍ及び６０ｃｍが代表的な寸法で、畝頂面の幅は、通常湾曲して平らではないが、概ね、１５ｃｍ、２０ｃｍ及び３０ｃｍ、のり面は７．５ｃｍ、又、畝溝の幅は概ね１５ｃｍと表現できるが、工業規格のごとく正確な物ではなく、実用上問題のない範囲で極めて曖昧な数字である。
又、畝たての方向は、ブーム道や作業道など、搬出方向の道（以後、搬出道と記す）と平行に畝たてする平行畝、搬出道と直交する直交畝の二通りがあり、主に雨天時の排水、土や肥料の流失などに配慮し、同一生産者で両方の畝たてをする場合があり、稀に斜め方向に畝たてする場合もある。
【０００４】
現在のコンベアの利用状況はコンベアを、畝頂面に直接又は木の角材を敷き、配列設置して、初速を与えて送り出しても途中で止まったり、脱線したり、コンベアの繋ぎ目で止まったりするので、作業者が介添えしながら搬出作業を進め、一区画の搬出が終わるとコンベアの移設を繰り返し運び出す方法、
プラスチックの収穫箱を１段、２段、稀に３段に重ね、コンベアを略水平な作業に適した中空位置に配列設置して、前述のごとく介添えしながら搬出作業を進め、一区画の搬出が終わるとコンベアの移設を繰り返し運び出す方法、
プラスチックの収穫箱を１段、２段、稀に３段に重ね、角木や木片などを補助的に使って、コンベアに勾配を付けて配列設置して、重力を利用しながら搬出作業を進め、一区画の搬出が終わるとコンベアの移設を繰り返し運び出す方法、
コンベアを直列二輪又は並列二輪を備えた高さの調整できる台車などに取り付けて設置し、一区画の搬出が終わるとコンベア全長の移動を繰り返しながら運び出す方法などがあるが、
畝の上面は凸凹で、圃場全体ではうねりや高低があり、連結するコンベアの繋ぎ目に段ができることが多く、
又、木の角材を利用する例では、木は重く利用が進むと水分を含んで更に重くなり、又腐食する難点があり、収穫が進むと共にコンベアを頻繁に移設する必要があるため、木の角材の利用も進んでいない。
又、プラスチックの箱に直接コンベアを乗せると、搬送する箱の振動で、コンベアが滑るので、滑り止め対策を採る必要がり、もともとプラスチック箱は畝頂面の土に対して不安定である。
【０００５】
省力化・機械化を進める生産者は、作付面積を減らしても、軽トラック又は小型トラックを乗り入れる道、又はブーム道（トラクターが乗り入れる作業道の通称）を設けるが、前記ブーム道の設置間隔は、大規模生産者では略３０メートルが多いが、その設置間隔は保有するトラクターの後部に取り付ける消毒／散水に利用する散布装置の片側に張り出す多数のノズルを備えたブームの長さで決定し、多用されているブームの長さは略１５メートル、圃場内で箱詰した収穫物の入った箱をブーム道まで搬出する距離は片側に約１５メートルであり、３メートルの定尺コンベア５本分である。
【０００６】
農家の潜在的な希望は、総じて、作業時間を短縮し、肉体疲労を軽減し、生産コストを低減し、導入する機械器具は扱いが簡単で、シンプルで軽量なものを希望し、道工具を現場で使うことを極端に嫌う傾向が強く、
段取りの手間が少ないこと、即ち、格納場所から使用場所までの回送、使用場所と次の使用場所までの回送、使用前後の組み立て分解及び回送車両への積み下ろしなどであり、
移動スピードが速いこと、特に圃場内での移動スピードで、箱の移動スピード（運搬車両のスピードと言い換えることもできる）を早くしたい、
運搬車両利用の場合は、車両自体の圃場内スピードはきわめて遅く、運搬車両に向かって箱を持って移動して積み上げるので、この歩数と積み上げる手間、及び運搬車両からトラックなどへの積み替え作業の二度手間を減らしたく、
残渣で歩きにくい圃場は、特に雨が降ると滑りやすく、畝を横切る方向に歩く俗称蟹歩きの歩数を限りなくゼロにしたい、等がある。
【０００７】
現在の搬出作業のひとつの方向性はコンベアの導入であり、コンベアを導入した場合の不都合を如何に解決するか、コストの面、圃場の面積、畝幅や畝たての方向、一日の総出荷量や一圃場での一日の出荷量、作業者の員数、コンベアの組み立て設置、移設又は移動、格納庫と圃場間又は圃場間の回送手間、組み立て解体の手間、個々の単体重量等々を総合的に判断して、商品が提案され、ユーザーは提案されている商品の最適な組み合わせと導入コストを検討し、同時に新たな商品の登場を待っている。
【０００８】
多くの生産者が導入している１基のコンベアの概略寸法は、ローラの長さ３００ｍｍ、本体の横幅３６０ｍｍ、本体の長さ３メートルで、
コンベアの一端には一対の連結用フックを備え、他端には次に連結するコンベアの前記連結用フックと同じ形状のフックを引っ掛ける連結軸が左右のコンベアフレームを貫通して設けており、
コンベア両端に前記連結軸又は連結用フックを備える改造品も利用する。
【０００９】
コンベアは単体で使用する場合、及び複数連結する場合の基準となるコンベアは同コンベアの両端部下面の二箇所を支持する必要があり、
複数連結する場合の連結箇所の支持は、連結箇所のコンベア両端部下面を同一の支持台で支持する場合と、
連結軸側の端部下面を支持された被連結コンベアの連結軸に次のコンベアの連結用フックを被せて連結する方法の二つの連結支持方法がある。
【００１０】
コンベアの搬送方向の勾配は、コンベアの両端に内蔵するベアリングの状態や、送り出す初速度にもよるが、実用上約２度〜３度の勾配で設置すると、ゆっくりと重力で移動していく、この勾配は概算で３メートルに対し１０ｃｍ〜１６ｃｍで、コンベア設置の一番高い位置は作業者の臍のあたりで、概ね６０〜７０ｃｍである。
又、定尺３メートルのコンベアを水平又はゆるい逆勾配に設置しても、作業者が手加減を覚えて初速度を与えて送り出すと、水平又はゆるい逆勾配の箇所は容易に超えていくことができる。
また、コンベア全体に緩やかな捻りや傾きがあっても、脱線することは少なく、その限界は作業者が経験で覚え、対応することになるが、
急な傾斜畑で谷側（低い方の意味）に搬出する場合、傾斜を緩める方向の設置が必要で、階段状に段々に配置する必要がある場合もあり、
急な傾斜畑で山側（高い方の意味）に搬出する場合、階段状に段々に配置する必要がある。
一番の問題は、勾配が急で、速度が速くなることである。
【００１１】
アルミなどの金属とプラスチック箱及びアルミなどの金属とアルミなどの金属の直接接触は、搬送中の箱が起こす振動でズレ動くので、ズレ止め対策や完全な固定手段が必要であるが、古いバスタオルや毛布を切ったものなどを利用している。
【００１２】
多くの生産者が大量に保有するプラスッチク箱の代表的な概略寸法（ｍｍ表示）の一例は、底面の二辺の長さ：３５５×５１３、開口上部の外々寸法：３６３×５２１、開口上部の縁の幅：１８ｍｍ、開口上部の内々寸法：３２７×４８７、高さ：３００、底部と上部の嵌り合い深さ：１０、などがあり、
約３メートル間隔でプラスチック箱を圃場に並べた場合、プラスチック箱の上面が略同一面に並べることは困難で、コンベア下面はプラスチック箱の上の片側の外角に強く当たり、最悪の場合は他方は浮き上がった状態となり、極めて不安定な設置状態となる。
【００１３】
一般に、農道は狭い場合が多く、公道でもあるので、車両やトラクターを留め置くことは控えられ、必然的に搬出道に小型トラックや軽トラックやトラクターなどを乗り入れ、それら車両を移動することが困難な場合が多発し、その様な間合いに、コンベアを斜めに設置する必要が生じ、
又圃場の谷側又は山裾側などの変形した圃場もコンベアを斜めに設置する必要が生じる。
【００１４】
多くの生産者は機械器具の利用に不都合な環境では、人力による作業を厭わない。別の表現をすると、工場内設備のように、完璧に課題を解決しようとすると、逆に作業効率が低下する。
【先行技術文献】
【特許文献】
【００１５】
【特許文献１】特開２０１４−２２７２４１号公報
【特許文献２】特開２０１２−１５８４３９号公報
【発明の概要】
【発明が解決しようとする課題】
【００１６】
工場内の物品搬送用に開発されたローラコンベアを、組み立て仮設、移動、分解を頻繁に繰り返す作業現場、特に農業の一条植えの露地野菜生産圃場において、主に箱詰をした収穫物搬出作業に活用するために、
圃場のうねりや高低及び畝上面の凸凹の影響を少なくし、コンベアの繋ぎ目に段差が生じないように連結し、
作業者の希望する高さに、圃場の面に沿って、コンベアを設置し、
又、コンベアに勾配を付けて設置し、重力を利用して、箱が自重で動く力を利用し、
又、畝たて方向と平行に、又は畝たて方向と直交する方向に、又は畝たて方向と角度をもってコンベアを配置し、
又、コンベアとコンベアを支持するものとが滑らない構造又は簡便に固定する構造とし
又頻繁な移設に対応するために、可能な限り全てのものを軽量化し、仮設、解体、回送が簡単にでき、手持ちの物を活用し、導入コストを低減する、前述のようなコンベア支持台を提供することを課題とする。
【課題を解決するための手段】
【００１７】
コンベア下面と畝頂面の間に配置する、枕木状の長方形枠枕木を提案し、
同枕木を配置してコンベアフレーム下面を支持することとし、
前記長方形枠枕木と共働する補助具として、枕木用門型受け梁、プラスチック箱の上面に配する一文字型コンベア受け梁と、同一文字型コンベア受け梁と共働する一文字型用門型受け梁を提案した。
【発明の効果】
【００１８】
コンベアを圃場内に仮設するに当たり、圃場のうねりや高低及び畝上面の凸凹の影響を少なくし、
又、平行畝、直交畝の両方に使用することができ、コンベアを畝たて方向と角度をもって設置することもでき、
又、圃場に合わせ、コンベアを作業者が希望する高さに畝頂面と略平行に、又は畝頂面と勾配を付けて配置することができ、
又、アルミニューム製なので、軽量化でき、腐食にも強く吸湿しないものを提供することができる。
【図面の簡単な説明】
【００１９】
【図１】本発明の一実施形態に係る長方形枠枕木及び同枕木と共働する門型コンベア受け梁を示す概略的鳥瞰図である。
【図２】長方形枠枕木、プラスチック箱、一文字型コンベア受け梁、及び門型コンベア受け梁の配置を示す概略的側面図である。
【図３】プラスチック箱と一文字型コンベア受け梁の配置を示す概略的平面図である。
【図４】プラスチック箱と一文字型コンベア受け梁を９０度旋回した配置を示す概略的平面図である。
【図５】コンベアの連結状態と支持位置を示す概略的側面図である。
【発明を実施するための形態】
【００２０】
以下、図面１〜５を参照しつつ、本発明の実施の一形態を説明する。
【００２１】
図１に示す長方形枠枕木１は、
枕木長辺アングル型材１１、枕木短辺アングル型材１２、枕木用門型受け梁取り付け座１３で構成し、
長方形枠枕木１の厚みは、枕木長辺アングル型材１１、及び枕木短辺アングル型材１２、の断面形状や長さにもよるが、当該実施例では３ｃｍを用い、
一対の枕木長辺アングル型材１１は、その長さにおいて畝たてピッチの略２倍とし、実例を挙げると、畝たてピッチ４５ｃｍの場合略９０ｃｍとし、又、一対の枕木長辺アングル型材１１は、その一面を接地する底面とし、他面は垂直上方に垂直面として配し、且つ前記底面がお互いに向かい合うように配し、      
又、枕木短辺アングル型材１２の長さにおいて、一対の枕木長辺アングル型材１１の垂直面の内々の間隔を、利用するプラスチック箱の短辺の長さに若干の隙間を設け、前記プラスチック箱が前記一対の枕木長辺アングル型材１１の間にはまり込むことが可能な寸法とし、
枕木用門型受け梁取り付け座１３は、枕木用門型受け梁２１の枕木用門型支柱部材２１２を差し込んで取り付ける座として枕木短辺アングル型材１２の略中間位置に設けた。
【００２２】
（一文字型コンベア受け梁）
図２，３又は４に示す一文字型コンベア受け梁５は、一文字梁部材５１、四つの一文字梁ズレ止め部材５２、二つの門型受け梁取り付け座５３で構成し、
一文字型コンベア受け梁５は、
プラスチック箱４を、同箱の底面を下に長方形枠枕木１の上に１段、２段、３段と重ね置き、上面となったプラスチック箱の開口面に設置して用い、
一文字梁部材５１の長さは、プラスチック箱の長辺の長さと概ね同じ長さとし、その高さは概ね長方形枠枕木１の高さと同じとし、
一文字型梁部材５１の下面には、
一文字梁ズレ止め部材５２の長辺ズレ止め部材５２２を前記一文字型梁部材５１の中央寄りに、プラスチック箱４の一対の長辺の外側に沿い当たるように設け、且つ、一文字梁ズレ止め部材の長辺用５２２の長さは前記箱の開口面の内々寸法の短辺寸法を若干マイナスした寸法で、
又、一文字梁ズレ止め部材５２の短辺ズレ止め部材５２１を前記一文字型梁部材５１の両端下面に備え、プラスチック箱の一対の短辺の外側に沿い当たるように設け、
又、一文字梁ズレ止め部材５２の両端に一文字型用門型受け梁取り付け座５３を設けた。
上述の構造は、コンベア下面とプラスチック箱の上面間において、コンベア下面とプラスチック箱の一方の外側の角が強く当たり、最悪の場合は反対側の角は接触しない状態が頻発して不安定な状態となるため、コンベア下面がプラスチック箱４の上面の角に接触しないと同時にコンベアの荷重がプラスチック箱の略中心にかかる構造とし、平行畝及び直交畝の両方の畝に対応でき、且つ両方の畝に斜めにコンベアを配置することもできる構造とした。
【００２３】
（プラスチック箱）
プラスチック箱４は、大量に生産販売しているもので特に寸法を規定する物ではないが、生産者の手持ちのプラスチック箱を利用し、同箱の代表的な概略外形寸法を、縦５２ｃｍ、横３６ｃｍ、高さ３０ｃｍと表記すると、実用上は、コンベア支持の高さ調整は３０ｃｍ間隔となり、１０ｃｍ間隔、又は１５ｃｍ間隔での高さ調整の要望があり、枕木用門型受け梁２１及び一文字型用門型受け梁５を補助具として提案した。
尚、勾配を付けて搬出道側のコンベア先端をプラスチック箱４を一段用いて支持する場合は、同箱の開口上面を上にして配置し、コンベアの先端を少し斜めに差し込むように置くと、コンベア先端の底面に近い側面と先端に近い底面を同箱の平行する二つの長辺で支持でき、搬送方向へのズレ止め機能も発揮する。
【００２４】
（門型コンベア受け梁）
図１，２，３又は４に示す門型コンベア受け梁２は、長方形枠枕木１に取り付ける枕木用門型受け梁２１、      
一文字型用門型受け梁に取り付ける一文字型用門型受け梁２３の二種類があり、
枕木用門型受け梁２１は、枕木用門型受け梁水平梁部材２１１と一対の枕木用門型受け梁支柱部材２１２で構成し、
一文字型用門型受け梁２３は、一文字型用門型受け梁水平梁部材２３１と一対の一文字型用門型受け梁支柱部材２３２で構成し、
枕木用門型受け梁水平梁部材２１１の長さは概ね畝たてピッチの２倍の数字で、４５ｃｍの畝たてピッチであれば約９０ｃｍで、
一文字型用門型受け梁水平梁部材２３１の長さは概ねプラスチック箱の長辺と同じ寸法で、
枕木用門型受け梁支柱部材２１２と一文字型用門型受け梁支柱部材２３２の支柱の長さは、長方形枠枕木１の転倒の恐れが無い範囲で、生産者の希望する高さに製作することとし、プラスチック箱を省略して枕木用門型受け梁水平梁部材２１１の長いものを製作しても良い。
【００２５】
（ローラコンベア）
多くの生産者が導入している１基のコンベア３の概略寸法は、ローラの長さ３００ｍｍ、本体の横幅３６０ｍｍ、本体の長さ３メートルで、両サイドに備える略３メートルの一対のコンベアフレームは断面形状がコ形（チャンネル型）で歯がお互いに外を向く構造で、
コンベアの一端には一対の連結用フック３１を備え、他端には次に連結するコンベアの前記連結用フック３１と同じ形状のフック３１を引っ掛ける連結軸３２が左右のコンベアフレームを貫通して設けており、
コンベア両端に前記連結軸３２又は連結用フック３１を備える改造品も利用する。
【００２６】
（コンベアとコンベア受け梁）
コンベア下面を受けるコンベア受け梁は、コンベアに直交するコンベアの横方向で支持することを基本とし、必要に応じ、コンベアの搬送方向とコンベア受け梁に角度をもって斜めに設定し、
コンベアとコンベア受け梁間にゴムシートや布製生地を挟む方法と、前記両者をクランプ等で挟み締めす構造を備えて、ズレ止め対策をすると良い。
【００２７】
（発明商品の利点）
生産者が耕作する圃場の多くが、比較的平坦な圃場、又は２〜３度前後の傾斜畑の場合、導入コストが安く、コンベアの利用に関連作業が簡単迅速に行なえるコンベア支持方法を提案することができ、平行畝、直交畝及び畝に角度をもって斜めにも配置することができる。
【００２８】
（その他の実施形態）
本発明は上記実施形態に限定されるものではない。
【産業上の利用可能性】
【００２９】
農業の作業現場のみならず、他の現場作業の数物の搬入搬出作業にローラコンベアの活用拡大が期待でき、省力化に貢献することができる。
【符号の説明】
【００３０】
１      圃場内利用アルミ製コンベア枕木
１１    枕木長辺アングル型材
１２    枕木短辺アングル型材
１３    枕木用門型受け梁取り付け座
２      門型コンベア受け梁
２１    枕木用門型受け梁
２１１  枕木用門型受け梁水平部材
２１２  枕木用門型受け梁支柱部材
２３    一文字型用門型受け梁
２３１  一文字型用門型受け梁水平部材
２３２  一文字型用門型受け梁支柱部材
３      ローラコンベア
３１    連結フック
３２    連結軸
３３    コンベア支持点
３３１  支持点Ａ、連結軸を備える側の端部下面
３３２  支持点Ｂ、連結フックを備える側の端部下面
４      プラスチック箱
５      一文字型コンベア受け梁
５１    一文字梁部材
５２    一文字梁ズレ止め部材
５２１  プラスチック箱の短辺に沿う、短辺ズレ止め部材
５２２  プラスチック箱の長辺に沿う、長辺ズレ止め部材
５３    一文字型用門型受け梁取り付け座
【図１】
2017163856.tif 000003
【図２】
2017163856.tif 000004
【図３】
2017163856.tif 000005
【図４】
2017163856.tif 000006
【図５】
2017163856.tif 000007